(57)【特許請求の範囲】
【請求項１】
メニューキーを用いてオーダーメニューを入力するハンディターミナルにおいて、
本体を見開き可能な一方扉体と他方扉体から形成し、一方扉体の内面に前記メニューキーの一部を形成する表示メニューキーを切替表示可能かつこの表示メニューキーのタッチ操作で前記オーダーメニューを入力可能なタッチパネル付き表示器を設けるとともに、他方扉体の内面に前記メニューキーの一部を形成しかつ押圧動作で前記オーダーメニューを入力可能な押圧メニューを設け、さらに前記一方扉体の内面であって前記タッチパネル付き表示器の表示面下方定位置に、オーダーメニュー以外のデータを入力するためのものでかつ入力使用頻度の高い伝送キー、エンターキー、クリアーキーの押圧データ入力キーが設けられたハンディターミナル。
【請求項２】
前記他方扉体に、前記本体を閉じた状態において当該他方扉体の外面側から前記一方扉体のタッチパネル付き表示器の定位置に表示された情報を目読可能な覗き窓が設けられている請求項１記載のハンディターミナル。
【請求項３】
前記情報が、前記表示メニューキーでないものとされている請求項２記載のハンディターミナル。
【請求項４】
前記情報が、呼出しメッセージ，通信エラーメッセージおよびバッテリー情報の少なくても１つとされている請求項３記載のハンディターミナル。
【請求項５】
前記一方扉体が手持ち側とされている請求項１から請求項４までのいずれか１項記載のハンディターミナル。
【請求項６】
前記一方扉体側の表示メニューキーは、その平面面積が前記他方扉体側の押圧メニューキーの平面面積よりも大きくなるように形成されている請求項１のハンディターミナル。
【請求項７】
前記他方扉体の内面に形成される押圧メニューキーは、複数のメニューが割付けられるとともに、この押圧メニューキーが押圧操作された場合に、この押圧メニューキーに割付けられた複数のメニュー用の複数の表示メニューキーを前記タッチパネル付き表示器に表示可能に形成してある請求項１記載のハンディターミナル。
【発明の詳細な説明】
【０００１】
【発明の技術分野】
本発明は、メニューキーを用いてオーダーメニューを入力するハンディターミナルに関する。
【０００２】
【従来の技術】
従来のオーダーデータ処理装置は、図９に示すように、オーダーメニューを入力する複数のハンディターミナル１０Ｐと，入力されたオーダーデータを管理するオーダー管理手段７０（無線親局７１）と，オーダーデータについて会計処理を行う会計手段９０とから構成され、さらに伝票発行用プリンタ８０と厨房４００に配設されたキッチンプリンタ８５とを設けている。会計手段９０は、店舗出入口（会計所）３００に配設されている。
【０００３】
かくして、係員ＷＲＫは、客室１００内の各テーブル（座席）１０１を廻って、携帯するハンディターミナル１０Ｐを用いて各客ＣＳＴのオーダーメニューを含むオーダーデータを順番に入力する。オーダーデータには、テーブル番号，人数等が含まれる。
【０００４】
オーダーデータは、オーダー管理手段７０で管理されるとともに、この手段７０から両プリンタ８０，８５に転送される。厨房４００では、キッチンプリンタ８５から発行されたオーダー伝票に基き調理を開始する。伝票発行用プリンタ８０から発行されたカスタマー伝票は、当該係員ＷＲＫによって当該客ＣＳＴが着席するテーブル１０１に置かれる。
【０００５】
係員ＷＲＫは、ときどき厨房４００を覗き、自己担当の調理済メニューがあるとこれを当該客ＣＳＴへ配膳し、カスタマー伝票に手書きチェックを入れる。
【０００６】
飲食後の客ＣＳＴからカスタマー伝票を受取ったキャッシャーは、会計手段９０を用いて伝票番号等を入力すると、当該オーダーデータがオーダー管理手段７０からデータ通信回線７９を介して転送されてくる。そして、そのオーダーデータについて会計処理する。かくして、多数客の多数オーダーメニューについて正確に管理処理できるとともに店舗実稼動率を高められる。
【０００７】
ここに、従来のハンディターミナル１０Ｐは、図１０に示す如く、本体１５ＢＰの表面の大部分に複数の押圧メニューキー６１ＫＰを有する押圧メニューキー部６０Ｐを配置し、その上部に表示部４９Ｐを設けた構造とされている。しかし、この構造では、携帯性からの平面形状（大きさ）の制限および取扱い（押圧操作）性の点から、押圧メニューキー６１ＫＰの数を増大できない。
【０００８】
そこで、図１１に示すように、本体をヒンジ１９Ｐで連結された２枚扉体構造（１１Ｐ，１５Ｐ）として、それぞれに押圧メニューキー部６０Ｐ１，６０Ｐ２と表示部４９Ｐ１，４９Ｐ２とを設け、押圧メニューキー６１ＫＰを図１０の場合に比較して増大可能にしたものがある。しかし、この構造でも、２倍数以上には増大できないばかりか、機械的制約から重くなる問題がある。
【０００９】
かくして、図１０，図１１に示すいずれかの構造で、各メニューキー（６１ＫＰ）を液晶表示キーに代えたものも提案されている。表示切替えすることにより、多くのメニューキーを増大することができると言う考え方である。
【００１０】
【発明が解決しようとする課題】
しかしながら、表示メニューキー化でメニューキー数を増大可能化しただけでは、運用の実際上、実効が低いとの指摘がある。
【００１１】
すなわち、数量的に１平面内に並列表示するだけでは、その数が不足する場合が多くなっている。例えば、１つのメニュー（サラダ）の下位概念的メニュー（和風サラダ，サウザンサラダ，フレンチサラダ，ポテトサラダ，ツナサラダ，…）がある場合、それ以上の追加メニュー用のメニューキーが足らなくなってしまう。また、上位概念的メニューと下位概念的メニューとを同一平面上に並列表示しているので、選択操作に手間が掛るばかりか、ミス入力が生じ易い。
【００１２】
操作的に、表示メニューキーは、同一平面上に並列表示する限りにおいて、大きさが同じ押圧メニューキーの場合よりも、上下左右の隣接キーに触れ易い。この点からも、ミス操作が生じ易い。これを回避するためには、慎重な操作が必要となるので、却ってメニュー入力の遅速化を招く。
【００１３】
さらに、メニューキー入力との関係上必須で頻繁に使用する伝送キー，エンターキー等が表示メニューキーと同じ型と大きさで配置されているので、それらの取扱いも難しい。
【００１４】
本発明の目的は、オーダーメニューを迅速かつ正確に入力できかつ取扱い容易なハンディターミナルを提供することにある。
【００１５】
【課題を解決するための手段】
請求項１の発明は、メニューキーを用いてオーダーメニューを入力するハンディターミナルにおいて、本体を見開き可能な一方扉体と他方扉体から形成し、一方扉体の内面に前記メニューキーの一部を形成する表示メニューキーを切替表示可能かつこの表示メニューキーのタッチ操作で前記オーダーメニューを入力可能なタッチパネル付き表示器を設けるとともに、他方扉体の内面に前記メニューキーの一部を形成しかつ押圧動作で前記オーダーメニューを入力可能な押圧メニューを設け、さらに前記一方扉体の内面であって前記タッチパネル付き表示器の表示面下方定位置に、オーダーメニュー以外のデータを入力するためのものでかつ入力使用頻度の高い伝送キー、エンターキー、クリアーキーの押圧データ入力キーが設けられたハンディターミナルである。
【００１６】
かかる発明では、本体を見開き状態として、他方扉体の内面に設けられた各押圧メニューキーおよび一方扉体内面のタッチパネル付き表示器に表示された各表示メニューキーの双方を用いてメニュー入力することができる。
【００１７】
したがって、他方扉体側の取扱い簡単な押圧メニューキーと一方扉体側の切替え自在な表示メニューキーとの総和としてメニューキーの総数を大幅に増大できかつ上位概念的メニューと下位概念的メニューとを左右に分けて配置でき得るから、選択操作に手間が掛らずにミス入力を防止できかつ取扱い簡単である。よって、オーダーメニューを迅速かつ正確に入力できかつ取扱い容易である。
【００１９】
また、表示メニューキーを表示する一方扉体の内面の定位置に、入力使用頻度の高いキー（例えば、伝送キー，エンターキー，クリアキー）が、他方扉体側の押圧メニューキーと同様な押圧操作方式の押圧データ入力キーとして設けられている。
【００２０】
したがって、押圧データ入力キーを押圧メニューキーと隣接させて他方扉体側に設ける場合に比較して、押圧データ入力キーの選択かつ押圧操作を正確・迅速に行え、しかも表示メニューキーとの識別も容易である。さらに、表示メニューキーをタッチ操作して実際に入力されたメニューに関連深いものを配置しておけるから、業務能率をより大幅に向上できかつ取扱いが一段と容易である。
【００２１】
請求項２の発明は、前記他方扉体に、前記本体を閉じた状態において当該他方扉体の外面側から前記一方扉体のタッチパネル付き表示器の定位置に表示された情報を目読可能な覗き窓を設けた、ハンディターミナルである。
【００２２】
かかる発明では、メニュー入力しない不使用状態つまり本体を閉じた状態では、一方扉体の内面に設けられたタッチパネル付き表示器の表示面が空いているので、その定位置に情報を表示させることができる。この情報は、覗き窓を通して他方扉体の外面側（外部）から目読できる。
【００２３】
したがって、請求項１の発明の場合と同様な作用効果を奏することができることに加え、さらに不使用状態における保護を担保しつつタッチパネル付き表示器の表示面を有効利用できるとともに、品切れメニューや空きテーブル等に関する情報伝達機能を付加できる。
【００２４】
請求項３の発明は、前記情報が、前記表示メニューキーでないものとされているハンディターミナルである。
【００２５】
かかる発明では、見開き状態（使用状態）で表示メニューキーを表示可能な部位に、他の情報を表示することができる。したがって、請求項２の発明の場合と同様な作用効果を奏することができることに加え、さらに表示面に情報表示用の専用部位を格別に設けなくてもよいから、本体の小型化を図りつつ見開き状態時の表示メニューキーの数をより増大することができる。
【００２６】
請求項４の発明は、前記情報が、呼出しメッセージ，通信エラーメッセージおよびバッテリー情報の少なくても１つとされているハンディターミナルである。
【００２７】
かかる発明では、例えば、“空きテーブルに客を案内せよ”，“調理完了メニューを配膳せよ”等の呼出しメッセージ、“当該場所は電波が弱い”や“通信不調”等を含む通信エラーメッセージ、“電池交換すべき”等のバッテリー情報が表示される。したがって、請求項３の発明の場合と同様な作用効果を奏することができることに加え、さらに結果としてミス入力を防止できかつその後のメニュー入力をより確実に行えるとともに、業務能率を向上できる。
【００２８】
請求項５の発明は、前記一方扉体が手持ち側とされているハンディターミナルである。
【００２９】
かかる発明では、表示メニューキーを用いて実際にメニュー入力する側の一方扉体が手持ち側とされているので、表示メニューキーのタッチ操作をより安定して行える。したがって、請求項１から請求項５までの発明の場合と同様な作用効果を奏することができることに加え、さらにより一段と取扱い容易であるとともに、制御部やタッチパネル付き表示器等の駆動回路を信号線の多いタッチパネル付き表示器に近接して配置できるから、性能を向上できかつコスト低減も図れる。
【００３０】
請求項６の発明は、前記一方扉体側の表示メニューキーは、その平面面積が前記他方扉体側の押圧メニューキーの平面面積よりも大きくなるように形成されているハンディターミナルである。
【００３１】
かかる発明では、押圧メニューキーの場合よりも隣接する他のキーに触れ易い表示メニューキーが、押圧メニューキーより大きくされている。したがって、請求項１から請求項６までの発明の場合と同様な作用効果を奏することができることに加え、さらに最終的なメニュー入力頻度が多い表示メニューキーのミス操作を確実に防止できかつタッチ操作が一段と容易になる。この点からも、迅速なメニュー入力ができる。
【００３２】
請求項７の発明は、前記他方扉体の内面に形成される押圧メニューキーは、複数のメニューが割付けられるとともに、この押圧メニューキーが押圧操作された場合に、この押圧メニューキーに割付けられた複数のメニュー用の複数の表示メニューキーを前記タッチパネル付き表示器に表示可能に形成してある請求項１記載のハンディターミナルである。
【００３３】
かかる発明では、各押圧メニューキーに複数の表示メニューキーをソフトウエア的に割付けておけば、ある押圧メニューキー（例えば、“サラダ  ”キー）を押圧操作することにより、一方扉体のタッチパネル付き表示器に当該押圧メニュー（“サラダ”）キーに割付けられた複数のメニュー（“和風サラダ”，“サウザンサラダ”，“フレンチサラダ”，“ポテトサラダ”，“ツナサラダ”，…）の各表示メニューキーを表示させることもでき得る。かくすれば、１つの表示メニュー（例えば、“和風サラダ”）キーをタッチ操作することにより、当該メニューをより迅速に入力することができる。すなわち、適応性が広い。
【００３４】
【発明の実施の形態】
以下、本発明の実施形態について図面を参照して説明する。
【００３５】
（第１の実施形態）
本ハンディターミナル１０は、図１〜図３に示す如く、本体（１１，１５）を見開き可能な一方扉体１１と他方扉体１５から形成し、一方扉体１１の内面１１Ｉにメニューキーの一部を形成する表示メニューキー４１Ｋを表示可能かつこの表示メニューキー４１Ｋのタッチ操作でオーダーメニューを入力可能なタッチパネル付き表示器４０を設けるとともに、他方扉体１５の内面１５Ｉにメニューキーの一部を形成しかつ押圧操作でオーダーメニューを入力可能な押圧メニューキー６１Ｋを設け、メニューキーを大幅に増大可能かつ取扱い容易に形成されている。
【００３６】
さらに、この実施形態では、図６に示す如く、押圧メニューキー６１Ｋに複数のメニューを割付けるとともに、押圧メニューキー６１Ｋを押圧操作した場合に当該押圧メニューキー６１Ｋに割付けられた複数のメニューの表示メニューキー４１Ｋをタッチパネル付き表示器４０の表示面４０Ｇに表示可能に形成されている。
【００３７】
全体構成を概念的に示す図３において、一方扉体１１内には、制御部（ＣＰＵ２１，ＲＯＭ２２，ＲＡＭ２３）２０と，センサ（ＳＮＲ）部３０と，無線通信部（ＷＬＴ）３５と，タッチパネル付き表示器４０用の駆動制御回路（Ｉ／Ｆ）４０Ｄと，押圧データ入力キー部５０用の駆動制御回路（Ｉ／Ｆ）５０Ｄと，押圧メニューキー部６０用の駆動制御回路（Ｉ／Ｆ）６０Ｄとが、格納されている。
【００３８】
したがって、具体的なメニュー入力頻度の多い表示メニューキー４１Ｋが配置されていること、他方扉体１５より重くなることおよびこの実施形態では右利き用に設計してあることから、この一方扉体１１を手持ち側としてある。
【００３９】
かくして、メニュー入力を安定して行えるとともに、信号線の多いタッチパネル付き表示器４０とその駆動制御回路（Ｉ／Ｆ）４０Ｄとを近接位置できるから、性能を高められる。しかも、外部ノイズの影響や電力ロスを軽減できる。
【００４０】
本体（１１，１５）の見開き状態を示す図１において、右側の他方扉体１５の内面１５Ｉの大部分には、複数の押圧メニューキー６１Ｋを有する押圧メニューキー部６０が設けられ、その上方部に覗き窓１７が設けられている。覗き窓１７は、透明プラスチック製である。
【００４１】
押圧メニューキー６１Ｋの数は、押圧メニューキー６１ＫＰを採用する従来例（図１０，図１１）の場合と同様な数である。大きさ（平面面積）も同様な大きさである。したがって、押圧メニューキー６１Ｋを用いたメニュー入力作業については、従来例の場合と同様と言える。
【００４２】
しかし、押圧メニューキー６１Ｋの殆どを、下位概念的メニュー（例えば、“和風サラダ”）に対する上位概念的メニュー（例えば、“サラダ”）用としてあるので、従来の上位・下位概念的メニューが混在している場合よりも、１つの押圧メニューキー６１Ｋを選択する際の作業が簡単で、迅速かつ正確なメニュー入力を達成するのに非常に有効である。
【００４３】
この他方扉体１５とヒンジ１９を介して見開き可能に連結された一方扉体１１の内面１１Ｉの大部分には、タッチパネル付き表示器４０の表示面４１Ｇが取り付けられている。
【００４４】
すなわち、表示面４１Ｇには、多数の表示メニューキー４１Ｋを、図７に示す如く、切替え表示することができる。各表示メニューキー４１Ｋの平面面積（大きさ）は、押圧メニューキー６１Ｋの平面面積よりも大きくされている。
【００４５】
例えば、図７（Ａ）の右側メニュー（“Ｘ…コーヒー”）よりも左側メニュー（“Ａ定食”）の方が平面面積大きい。タッチ操作の方が、押圧メニューキー６１Ｋの押圧操作の場合よりも、隣接する他のキー４１Ｋに触れ易くかつそれによりミス入力が生じ易いと言う欠点を一掃化するためである。
【００４６】
この表示メニューキー４１Ｋのうち、例えば図７（Ａ）のメニュー（“Ａ定食”）用は、メニュー入力回数の多い定番メニューであることから、独立的に表示するものとしてある。その他の多くの表示メニューキー４１Ｋは、いずれか１つの押圧メニューキー６１Ｋにリンク（割付）して表示可能に形成してある。
【００４７】
すなわち、押圧メニューキー６１Ｋに複数のメニューを割付けるとともに、押圧メニューキー６１Ｋを押圧操作した場合に、当該押圧メニューキー６１Ｋに割付けられた複数のメニュー用の複数表示メニューキー４１Ｋをタッチパネル付き表示器４０（４０Ｇ）に表示可能に形成してある。
【００４８】
例えば、押圧メニューキー（例えば、“サラダ  ”キー）６１Ｋを押圧操作すると、当該押圧メニュー（“サラダ”）キー６１Ｋに割付けられた複数の表示メニュー（“和風サラダ”，“サウザンサラダ”，“フレンチサラダ”，“ポテトサラダ”，“ツナサラダ”等）キー４１Ｋが表示される。
【００４９】
さらに、この実施形態では、割付けられた複数の表示メニュー（例えば、“和風サラダ”，“サウザンサラダ”，“フレンチサラダ”，“ポテトサラダ”，“ツナサラダ”，…）キー４１Ｋは、図７（Ｃ）に示すように、スクロール表示部４３にスクロール可能に表示される。したがって、より多くの表示メニューキー４１Ｋを表示できると、理解される。
【００５０】
このスクロール表示された表示メニュー（例えば、“和風サラダ”）キー４１Ｋの平面面積も、押圧メニューキー（“サラダ”）６１Ｋの平面面積よりも大きい。さらに、表示メニュー（“Ａ定食”）キー４１Ｋよりも更に大きい。図３では図示省略したがマウスポインタ等によるクリック容易化のためである。
【００５１】
また、図７（Ａ）の他方扉体１５側の押圧メニュー（例えば、“Ｘ”）キー６１Ｋを押圧操作すると、図７（Ｂ）に示すように、表示面４１Ｇの上方の定位置表示部（定位置）４２に当該メニュー（Ｘ…コーヒー）が表示される。
【００５２】
同様に、図７（Ｃ）のスクロール表示された表示メニュー（例えば、“和風サラダ”）キー４１Ｋをタッチ操作した場合にも、図７（Ｄ）に示すように、“和風サラダ”が表示される。
【００５３】
表示面４０Ｇの下方定位置にもうけられた押圧データ入力キー部５０の押圧データ入力キー５１Ｋを押圧操作して、入力された数量（例えば、“２”）も表示される。ただし、数量（“１”）は自動入力とし、数量“２”以上の場合に押圧データ入力キー５１Ｋを用いて入力するように形成してある。
【００５４】
この押圧データ入力キー部５０は、オーダーメニュー以外のデータを入力するためのものでかつ入力使用頻度の高い押圧データ入力キー５１Ｋからなる。この実施形態では、図１，図７に示す“０”〜“９”を入力する置数キー，“Ｔ”と記した伝送キー，“Ｅ”と記したエンターキー，“Ｃ”と記したクリアーキー等である。
【００５５】
かくすれば、押圧データ入力キー５１Ｋを、押圧メニューキー６１Ｋと隣接させて他方扉体１５側に設ける場合に比較して、押圧データ入力キー５１Ｋの選択かつ押圧操作を正確・迅速に行え、しかも表示メニューキー４１Ｋとの識別も容易である。さらに、表示メニューキー４１Ｋをタッチ操作して実際に入力されたメニューに関連深いものを配置しておけるから、業務能率をより大幅に向上できかつ取扱いが一段と容易である。
【００５６】
また、図２，図７（Ｂ）に示す上方の定位置表示部４２は、閉じた状態を示す図２に示す如く、覗き窓１７に対応する定位置とされている。この定位置表示部４２には、表示メニューキー４１Ｋでない情報が表示される。つまり、図１に示す見開き状態（使用状態）で表示メニューキー４１Ｋを表示可能な部位（４２）に、他の情報を表示することができる。
【００５７】
したがって、表示面４０Ｇに情報表示用の専門部位を格別に設けなくてもよいから、本体（１１，１５）小型化を図りつつ見開き状態時の表示メニューキー４１Ｋの数をより増大することができる。
【００５８】
さらに、この実施形態では、呼出しメッセージ，通信エラーメッセージおよびバッテリー情報の３つの情報を表示可能に形成してある。ただし、３つのうちの少なくても１つを表示可能に形成すれば、請求項４の発明を成立できかつ実施することができる。
【００５９】
例えば、“空きテーブルに客を案内せよ”，”調理完了メニューを配膳せよ”等の呼出しメッセージ、“当該場所は電波が弱い”や“通信不調”等を含む通信エラーメッセージ、“電池交換すべき”等のバッテリー情報が表示される。したがって、結果としてミス入力を防止できかつその後のメニュー入力をより確実に行えるとともに、業務能率を向上できる。
【００６０】
かかる第１の実施形態では、係員は手持ち側の一方扉体１１を左手で持ち、図１に示すように本体（１１，１５）を見開き状態とする。つまり、ヒンジ１９を中心に、両扉体１１，１５を左右に開く。センサ（ＳＮＲ）部３０がこれを検出する（図４のＳＴ１０でＹＥＳ）。
【００６１】
すると、表示メニューキー表示制御手段（ＣＰＵ２１，ＲＯＭ２２）が、図３の駆動制御回路（Ｉ／Ｆ）４０Ｄに信号を与え、一方扉体１１（内面１１Ｉ）のタッチパネル付き表示器４０に、例えば図７（Ａ）に示す表示メニューキー４１Ｋを表示する（ＳＴ１１）。例えば、“Ａ定食”，“Ｂ定食”である。
【００６２】
当該表示メニュー（“Ａ定食”）キー４１Ｋをタッチ操作して、メニュー（“Ａ定食”）を入力（ＳＴ１２のＹＥＳ）する。数量が“２”以上の場合には、その数量（“２”）を、押圧データ入力キー（置数キー）５１Ｋを用いて入力（ＳＴ１３のＹＥＳ）する。
【００６３】
オーダーメニュー（データ）は、上方の定位置表示部４２に表示される（ＳＴ１４）。押圧データ入力キー（エンターキーＥ）５１Ｋを用いて、確認ＯＫの宣言をする（ＳＴ１５のＹＥＳ）と、当該オーダーメニュー（データ）がオーダーテーブル（ＲＡＭ２３）に登録（ＳＴ１６）される。
【００６４】
かくして、押圧データ入力キー（伝送キーＴ）５１Ｋを用いて伝送指定を出すと、当該オーダーメニュー（データ）は、無線通信部（ＷＬＴ）３５から図示省略したオーダー管理手段（図９の“７０”）へ無線送信（伝送）される（ＳＴ１８）。
【００６５】
客からメニュー取消しがあったような場合には、押圧データ入力キー（クリアキーＣ）５１Ｋを押圧操作（ＳＴ１９のＹＥＳ）して、クリア（ＳＴ２０）することができる。
【００６６】
一方、異なるテーブルの新たな客から“コーヒー（Ｘ）”と“和風サラダ”のオーダーがあった場合は、図７（Ａ）に示す押圧メニュー（Ｘ…コーヒー）キー６１Ｋを、押圧操作（ＳＴ１２のＹＥＳ）する。
【００６７】
すると、図７（Ｂ）に示すように、定位置表示部４２に当該メニュー（“コーヒー”）が表示（ＳＴ１４）される。大きくかつ鮮明に表示されるので、確認容易でミス入力を防止できる。
【００６８】
次いで、図７（Ｂ）に示す押圧メニュー（“Ｚ…サラダ”）キー６１Ｋを押圧操作（ＳＴ１２のＹＥＳ）する。この場合は、判別手段（ＣＰＵ２１，ＲＯＭ２２）が、当該メニュー（“サラダ”）が上位概念的メニューでありかつ下位概念的メニュー（“和風サラダ”等）が割付けられていると、判別（図６のＳＴ３０でＹＥＳ）する。
【００６９】
すると、分類割付検索制御手段（ＣＰＵ２１，ＲＯＭ２２）が、上位概念的メニューと下位概念的メニューとを対応分類して記憶した分類テーブル（ＲＡＭ２３）を検索（ＳＴ３１）し、当該上位概念的メニュー（“サラダ”）に属する下位概念的メニュー（“和風サラダ”，“サウザンサラダ”，“フレンチサラダ”，“ポテトサラダ”，“ツナサラダ”，…）を抽出する（ＳＴ３１）。
【００７０】
かくして、分類割付メニュー一覧表示制御手段（ＣＰＵ２１，ＲＯＭ２２）が、抽出された複数メニューに対応する当該各表示メニューキー４１Ｋを、図７（Ｃ）に示すスクロール表示部４３へ一覧表示（ＳＴ３２）する。
【００７１】
ここで、表示メニュー（“和風サラダ”）キー４１Ｋを選択入力（図４のＳＴ１２でＹＥＳ）すると、当該表示メニュー（“和風サラダ”）が、図７（Ｄ）に示す定位置表示部４２に表示（ＳＴ１４）される。表示メニュー（“和風サラダ”）キー４１Ｋが大きいので、迅速かつ正確に入力することができる。
【００７２】
その後に登録（ＳＴ１６）される。この実施形態では登録終了後に、メニュー一覧表示は消滅する（図６のＳＴ３３，ＳＴ３４）。
【００７３】
オーダーメニューの入力を終了した係員は、本体（１１，１５）を図２に示すように閉じる。タッチパネル付き表示器４０等の保護および携帯便宜のためである。
【００７４】
ここに、制御部２０は、無線通信部（ＷＬＴ）３５を介してオーダ−管理手段（７０）から、情報を受信（図５のＳＴ２１でＹＥＳ）すると、当該情報をタッチパネル付き表示器４０の上方の定位置表示部４２に表示（ＳＴ２２）する。
【００７５】
したがって、係員は、外部から覗き窓１７を通してこの情報を目読できるから、当該情報に最適な行動を迅速にとれる。例えば、押圧データ入力キー（クリアキー）５１Ｋを用いるために、本体（１１，１５）を図１に示す如く見開くと（ＳＴ２３のＹＥＳ）、当該情報は表示がクリア（ＳＴ２４）される。
【００７６】
しかして、この第１の実施形態によれば、本体（１１，１５）を見開き可能な一方扉体１１と他方扉体１５から形成し、一方扉体１１の内面１１Ｉにメニューキーの一部を形成する表示メニューキー４１Ｋを表示可能かつこの表示メニューキー４１Ｋのタッチ操作でオーダーメニューを入力可能なタッチパネル付き表示器４０を設けるとともに、他方扉体１５の内面１５Ｉにメニューキーの一部を形成しかつ押圧操作でオーダーメニューを入力可能な押圧メニューキー６１Ｋを設けたハンディターミナルであるから、他方扉体１５側の取扱い簡単な押圧メニューキー６１Ｋと一方扉体１１側の切替え自在な表示メニューキー４１Ｋとの総和としてメニューキーの総数を大幅に増大できるとともに、選択操作に手間が掛らずミス入力を防止できかつ取扱い簡単である。したがって、オーダーメニューを迅速かつ正確に入力できかつ取扱い容易である。
【００７７】
また、押圧メニューキー６１Ｋに複数のメニューを割付けるとともに、押圧メニューキー６１Ｋを押圧操作した場合に当該押圧メニューキー６１Ｋに割付けられた複数のメニューの表示メニューキー４１Ｋをタッチパネル付き表示器４０の表示面４０Ｇに表示可能に形成されているので、一方扉体１１側の切替え自在な表示メニューキー４１Ｋをより大幅に増大できるとともに、上位概念的メニューと下位概念的メニューとを左右に分けて配置できるから、より一段と、選択操作に手間が掛らずミス入力を防止できかつ取扱い簡単である。
【００７８】
また、他方扉体１５に、本体（１１，１５）を閉じた状態において、当該他方扉体１５の外面１５Ｏ側から一方扉体１１のタッチパネル付き表示器４０の定位置（４２）に表示された情報を目読可能な覗き窓１７が設けられているので、不使用状態における構成要素の保護を担保しつつタッチパネル付き表示器４０の表示面４０Ｇを有効利用できるとともに、品切れメニューや空きテーブル等に関する情報伝達機能を付加できる。
【００７９】
また、表示情報が、表示メニューキー４１Ｋでないものとされているので、表示面４０Ｇに情報表示用の格別な専用部位を設けなくてもよいから、本体（１１，１５）の小型化を図りつつ見開き状態時の表示メニューキーの数をより増大することができる。
【００８０】
また、表示情報が、呼出しメッセージ，通信エラーメッセージおよびバッテリー情報とされているので、結果としてミス入力を防止できかつその後のメニュー入力をより確実に行えるとともに、業務能率を向上できる。
【００８１】
さらに、一方扉体１１の内面１１Ｉの定位置（５０）に、オーダーメニュー以外のデータを入力するためのものでかつ入力使用頻度の高い押圧データ入力キー（置数キー，伝送キーＴ，エンターキーＥ，クリアキーＣ）５１Ｋが設けられているので、この押圧データ入力キー５１Ｋを他方扉体１５側の押圧メニューキー６１Ｋと隣接させて当該他方扉体１５側に設ける場合に比較して、押圧データ入力キー５１Ｋの選択かつ押圧操作を正確・迅速に行え、しかも表示メニューキー４１Ｋとの識別も容易である。さらに、表示メニューキー４１Ｋをタッチ操作して実際に入力されたメニューに関連深いものを配置しておけるから、業務能率をより大幅に向上できかつ取扱いが一段と容易である。
【００８２】
さらに、一方扉体１１が手持ち側とされているので、より一段と取扱い容易であるとともに、制御部２０やタッチパネル付き表示器４０の駆動制御回路４０Ｄ等を信号線の多いタッチパネル付き表示器４０に近接して配置できるから、性能を向上できかつコスト低減も図れる。
【００８３】
さらにまた、一方扉体１１側の表示メニューキー４１Ｋの平面面積が他方扉体１５側の押圧メニューキー６１Ｋの平面面積よりも大きいので、最終的なメニュー入力頻度が多い表示メニューキー４１Ｋのミス操作を確実に防止できかつタッチ操作が一段と容易になる。この点からも、迅速なメニュー入力ができる。
【００８４】
さらにまた、押圧メニューキー６１Ｋに分類割付された表示メニューキー４１Ｋをスクロール（一覧）表示するものと形成されているので、一段とメニューキー（４１Ｋ）を増大することができる。
【００８５】
（第２の実施形態）
この第２の実施形態は、図８に示される。
【００８６】
すなわち、一方扉体１１のタッチパネル付き表示器４０の表示面４０Ｇに多数の下位概念的メニュー（例えば、“コーラ”）の表示メニューキー４１Ｋを表示可能、かつこの表示対象を下方側の中位概念的メニュー（例えば、“ソフトドリンク”）の表示メニューキー４５Ｋで切替え表示可能に形成されている。
【００８７】
しかも、表示切替ようのメニューキー４５Ｋは、他方扉体１５側の上位概念的メニュー（例えば、“飲み物”）の押圧メニューキー６１Ｋで切替え表示可能に形成されている。
【００８８】
したがって、この第２の実施形態によれば、２段階分類の各切替表示方式であるから、取扱い容易性を担保しつつより大幅でかつ多数のメニューキーを増設することができる。
【００８９】
【発明の効果】
請求項１の発明によれば、本体を見開き可能な一方扉体と他方扉体から形成し、一方扉体の内面に表示メニューキーを表示可能かつこの表示メニューキーのタッチ操作でオーダーメニューを入力可能なタッチパネル付き表示器を設けるとともに、他方扉体の内面に押圧操作でオーダーメニューを入力可能な押圧メニューキーを設けたハンディターミナルであるから、他方扉体側の取扱い簡単な押圧メニューキーと一方扉体側の切替え自在な表示メニューキーとの総和としてメニューキーの総数を大幅に増大できるとともに、選択操作に手間が掛らずにミス入力を防止できかつ取扱い簡単である。よって、オーダーメニューを迅速かつ正確に入力できかつ取扱い容易である。さらに、各押圧メニューキーに複数の表示メニューキーをソフトウエア的に割付けられ得るから、上位概念的メニューと下位概念的メニューとを左右に分けて配置できる。したがって、一段とメニューキー数を増大できかつ適応性を拡大できる。
【００９０】
また、表示メニューキーを表示する一方扉体の内面の定位置に、入力使用頻度の高いキーの伝送キー，エンターキー，クリアキーが、他方扉体側の押圧メニューキーと同様な押圧操作方式の押圧データ入力キーとして設けられている。
【００９１】
したがって、押圧データ入力キーを押圧メニューキーと隣接させて他方扉体側に設ける場合に比較して、伝送キー，エンターキー，クリアキーの選択かつ押圧操作を正確・迅速に行え、しかも表示メニューキーとの識別も容易である。さらに、表示メニューキーをタッチ操作して実際に入力されたメニューに関連深いものを配置しておけるから、業務能率をより大幅に向上できかつ取扱いが一段と容易である。
【００９２】
請求項２の発明によれば、他方扉体に本体を閉じた状態において当該他方扉体の外面側から一方扉体のタッチパネル付き表示器の定位置に表示された情報を目読可能な覗き窓が設けられているので、請求項１の発明の場合と同様な効果を奏することができることに加え、さらに不使用状態における保護を担保しつつタッチパネル付き表示器の表示面を有効利用できるとともに、品切れメニューや空きテーブル等に関する情報伝達機能を付加できる。
【００９３】
請求項３の発明によれば、定位置に表示される情報が表示メニューキーでないものとされているので、請求項２の発明の場合と同様な効果を奏することができることに加え、さらに表示面に情報表示用の専用部位を格別に設けなくてもよいから、本体の小型化を図りつつ見開き状態時の表示メニューキーの数をより増大することができる。
【００９４】
請求項４の発明によれば、定位置に表示される情報が呼出しメッセージ，通信エラーメッセージおよびバッテリー情報の少なくても１つとされているので、請求項３の発明の場合と同様な効果を奏することができることに加え、さらに結果としてミス入力を防止できかつその後のメニュー入力をより確実に行えるとともに、業務能率を向上できる。
【００９５】
請求項５の発明によれば、一方扉体が手持ち側に形成されているので、請求項１から請求項４までの発明の場合と同様な効果を奏することができることに加え、さらにより一段と取扱い容易であるとともに、制御部やタッチパネル付き表示器等の駆動回路を信号線の多いタッチパネル付き表示器に近接して配置できるから、性能を向上できかつコスト低減も図れる。
【００９６】
請求項６の発明によれば、一方扉体側の表示メニューキーは、その平面面積が他方扉体側の押圧メニューキーの平面面積よりも大きくなるように形成されているので、請求項１の発明の場合と同様な効果を奏することができることに加え、さらに最終的なメニュー入力頻度が多い表示メニューキーのミス操作を確実に防止できかつタッチ操作が一段と容易になる。この点からも、迅速なメニュー入力ができる。
【００９７】
請求項７の発明によれば、各押圧メニューキーに複数の表示メニューキーをソフトウエア的に割付けておけば、ある押圧メニューキー（例えば、“サラダ  ”キー）を押圧操作することにより、一方扉体のタッチパネル付き表示器に当該押圧メニュー（“サラダ”）キーに割付けられた複数のメニュー（“和風サラダ”，“サウザンサラダ”，“フレンチサラダ”，“ポテトサラダ”，“ツナサラダ”，…）の各表示メニューキーを表示させることもでき得る。かくすれば、１つの表示メニュー（例えば、“和風サラダ”）キーをタッチ操作することにより、当該メニューをより迅速に入力することができる。すなわち、適応性が広い。
【図面の簡単な説明】
【図１】  本発明の第１の実施形態に係る本体の見開き状態を説明するための平面図である。
【図２】  同じく、閉じた状態で他方扉体の外面側から見た平面図である。
【図３】  同じく、全体構成を説明するためのブロック図である。
【図４】  同じく、メニュー入力動作等を説明するためのフローチャートである。
【図５】  同じく、情報表示動作を説明するためのフローチャートである。
【図６】  同じく、メニュー一覧表示動作を説明するためのフローチャートである。
【図７】  同じく、表示メニューキーの切替え状態を説明するための図である。
【図８】  本発明の第２の実施形態にかかるタッチパネル付き表示器の表示形態を説明するための図である。
【図９】  本発明および従来例にかかるハンディターミナルを使用するオーダーメニューデータ処理装置の１例を説明するための図である。
【図１０】  従来例（１）を説明するための図である。
【図１１】  従来例（２）を説明するための図である。
【符号の説明】
１０  ハンディターミナル
１１  一方扉体（本体）
１１Ｉ  内面
１１Ｏ  外面
１５  他方扉体（本体）
１５Ｉ  内面
１５Ｏ  外面
１７  覗き窓
１９  ヒンジ
２０  制御部
２１  ＣＰＵ
２２  ＲＯＭ
２３  ＲＡＭ
３０  センサ部
３５  無線通信部
４０  タッチパネル付き表示器
４０Ｄ  駆動制御回路
４０Ｇ  表示面
４１Ｋ  表示メニューキー（メニューキー）
４２  定位置表示部（定位置）
４３  スクロール表示部
４５Ｋ  表示切替用メニューキー（メニューキー）
５０  押圧データ入力キー部（定位置）
５１Ｋ  押圧データ入力キー
６０  押圧メニューキー部
６１Ｋ  押圧メニューキー（メニューキー）
【図１】
0003996690.tif 000002
【図２】
0003996690.tif 000003
【図３】
0003996690.tif 000004
【図４】
0003996690.tif 000005
【図５】
0003996690.tif 000006
【図６】
0003996690.tif 000007
【図７】
0003996690.tif 000008
【図８】
0003996690.tif 000009
【図９】
0003996690.tif 000010
【図１０】
0003996690.tif 000011
【図１１】
0003996690.tif 000012